(57)【要約】      （修正有）【課題】光ピックアップを取り外す作業が複雑になるのを抑制することが可能なディスク装置を提供する。【解決手段】ディスク装置は、ガイドシャフトと、光学部品と、光学部品を保持する基台と、ガイドシャフトに沿って移動可能とするガイド部５４とを含む光ピックアップ５とを備え、ガイド部５４は、ガイドシャフトの周囲の一部に当接してガイドシャフトをガイドする開口部５４ａを含み、ガイドシャフトの周囲においてガイド部５４と当接していない方向からガイドシャフトを支持するガイドシャフト支持部８１をさらに備える。【選択図】図７
2014160522.tif 000002
【特許請求の範囲】
【請求項１】
ガイドシャフトと、
光学部品と、前記光学部品を保持する基台と、前記ガイドシャフトに沿って移動可能とするガイド部とを含む光ピックアップとを備え、
前記ガイド部は、前記ガイドシャフトの周囲の一部に当接して前記ガイドシャフトをガイドする第１開口部を含み、
前記ガイドシャフトの周囲において前記ガイド部と当接していない方向から前記ガイドシャフトを支持するガイドシャフト支持部をさらに備える、ディスク装置。
【請求項２】
前記ディスク装置は、ディスクが載置されるように構成されており、
前記ガイド部の第１開口部は、前記ディスクが載置される側と反対側の下方に開口している、請求項１に記載のディスク装置。
【請求項３】
前記ガイドシャフト支持部には、前記ガイド部の第１開口部が開口する方向と反対側の方向から前記ガイドシャフトを支持する支持部分が設けられている、請求項１または２に記載のディスク装置。
【請求項４】
前記ガイドシャフト支持部の支持部分は、前記ガイドシャフトが延びる方向と直交する方向で、かつ、前記ガイド部の第１開口部が開口する方向に直交する方向に開口する第２開口部を含む、請求項３に記載のディスク装置。
【請求項５】
前記基台に重なるように取り付けられ、回転する歯車と噛み合うことにより、前記ガイドシャフトが延びる方向に前記光ピックアップを移動させるための弾性部材からなるラック部をさらに備え、
前記ガイドシャフト支持部は、前記ラック部に一体的に設けられている、請求項１〜４のいずれか１項に記載のディスク装置。
【請求項６】
前記ラック部に一体的に設けられている前記ガイドシャフト支持部は、前記ガイドシャフトが延びる方向と直交するように下方に延びるように形成されており、
前記基台は、前記ラック部が前記基台の上面に重なるように配置された状態で、前記ガイドシャフト支持部が下方に貫通する貫通孔を含み、
前記ガイドシャフト支持部は、前記ガイドシャフト支持部が前記基台の貫通孔を貫通した状態で、前記ガイドシャフトを下方から支持することにより、前記光ピックアップのガイド部が前記ガイドシャフトから外れる方向に移動するのを抑制するように構成されている、請求項５に記載のディスク装置。
【請求項７】
前記ガイド部は、前記ガイドシャフトが延びる方向に沿って複数設けられ、
前記ガイドシャフト支持部は、前記複数のガイド部の間に配置されるように構成されている、請求項１〜６のいずれか１項に記載のディスク装置。
【発明の詳細な説明】
【技術分野】
【０００１】
この発明は、ディスク装置に関し、特に、光ピックアップを備えるディスク装置に関する。
【背景技術】
【０００２】
従来、光ピックアップを備えるディスク装置が知られている（たとえば、特許文献１参照）。
【０００３】
上記特許文献１には、ガイドシャフトと、ガイドシャフトが挿入される貫通孔からなる軸受部および光学部品を含む光ピックアップとを備える光ピックアップ装置（ディスク装置）が開示されている。この光ピックアップ装置では、貫通孔からなる軸受部にガイドシャフトが挿入されることにより、光ピックアップが支持（保持）されるとともに、光ピックアップがガイドシャフトに対して移動可能に構成されている。
【先行技術文献】
【特許文献】
【０００４】
【特許文献１】特開２００２−５００５５号公報
【発明の概要】
【発明が解決しようとする課題】
【０００５】
しかしながら、上記特許文献１に開示された光ピックアップ装置では、ガイドシャフトが貫通孔からなる軸受部に挿入されているため、たとえば、光ピックアップが故障した場合に、ガイドシャフトから光ピックアップを取り外すためには、ガイドシャフトを光ピックアップ装置から取り外す必要がある。このため、光ピックアップを取り外す作業が複雑になるという問題点がある。
【０００６】
この発明は、上記のような課題を解決するためになされたものであり、この発明の１つの目的は、光ピックアップを取り外す作業が複雑になるのを抑制することが可能なディスク装置を提供することである。
【課題を解決するための手段】
【０００７】
上記目的を達成するために、この発明の一の局面によるディスク装置は、ガイドシャフトと、光学部品と、光学部品を保持する基台と、ガイドシャフトに沿って移動可能とするガイド部とを含む光ピックアップとを備え、ガイド部は、ガイドシャフトの周囲の一部に当接してガイドシャフトをガイドする第１開口部を含み、ガイドシャフトの周囲においてガイド部と当接していない方向からガイドシャフトを支持するガイドシャフト支持部をさらに備える。
【０００８】
この発明の一の局面によるディスク装置では、上記のように、ガイド部が、ガイドシャフトの周囲の一部に当接してガイドシャフトをガイドする第１開口部を含み、ガイドシャフトの周囲においてガイド部と当接していない方向からガイドシャフトを支持するガイドシャフト支持部を備えることによって、通常時には、ガイドシャフト支持部により、ガイドシャフトから光ピックアップのガイド部が外れるのを抑制することができるとともに、光ピックアップの取り外し時には、ガイドシャフトが固定されている状態でも、ガイドシャフト支持部による支持を解除しながら光ピックアップをガイド部の第１開口部が開口している方向と反対方向に移動させることによって、ガイドシャフトから光ピックアップを取り外すことができる。その結果、光ピックアップに設けられる貫通孔にガイドシャフトが挿入されている場合と異なり、ガイドシャフトを取り外す必要がないので、光ピックアップを取り外す作業が複雑になるのを抑制することができる。
【０００９】
上記一の局面によるディスク装置において、好ましくは、ディスク装置は、ディスクが載置されるように構成されており、ガイド部の第１開口部は、ディスクが載置される側と反対側の下方に開口している。このように構成すれば、上方から光ピックアップをガイドシャフトに容易に載置して装着することができる。すなわち、光ピックアップの取り付け作業を容易に行うことができる。
【００１０】
上記一の局面によるディスク装置において、好ましくは、ガイドシャフト支持部には、ガイド部の第１開口部が開口する方向と反対側の方向からガイドシャフトを支持する支持部分が設けられている。このように構成すれば、光ピックアップが上方（ガイド部の第１開口部が開口する方向と反対の方向）に移動するのを、支持部分により容易に抑制することができる。
【００１１】
この場合、好ましくは、ガイドシャフト支持部の支持部分は、ガイドシャフトが延びる方向と直交する方向で、かつ、ガイド部の第１開口部が開口する方向に直交する方向に開口する第２開口部を含む。このように構成すれば、ガイドシャフトから光ピックアップのガイド部が外れるのを、ガイドシャフト支持部の支持部分の第２開口部により容易に抑制することができる。
【００１２】
上記一の局面によるディスク装置において、好ましくは、基台に重なるように取り付けられ、回転する歯車と噛み合うことにより、ガイドシャフトが延びる方向に光ピックアップを移動させるための弾性部材からなるラック部をさらに備え、ガイドシャフト支持部は、ラック部に一体的に設けられている。このように構成すれば、弾性部材からなるガイドシャフト支持部により、ガイドシャフトを付勢することができるので、ガイドシャフト（光ピックアップ）ががたつくのを抑制することができるとともに、ガイドシャフト支持部をラック部と別個に設ける場合と異なり、部品点数の増加を抑制して装置の構成を簡略化することができる。
【００１３】
この場合、好ましくは、ラック部に一体的に設けられているガイドシャフト支持部は、ガイドシャフトが延びる方向と直交するように下方に延びるように形成されており、基台は、ラック部が基台の上面に重なるように配置された状態で、ガイドシャフト支持部が下方に貫通する貫通孔を含み、ガイドシャフト支持部は、ガイドシャフト支持部が基台の貫通孔を貫通した状態で、ガイドシャフトを下方から支持することにより、光ピックアップのガイド部がガイドシャフトから外れる方向に移動するのを抑制するように構成されている。このように構成すれば、ラック部とガイドシャフト支持部との間に、基台とガイドシャフトとを挟み込むことができるので、ガイドシャフト（光ピックアップ）ががたつくのを効果的に抑制することができる。
【００１４】
上記一の局面によるディスク装置において、好ましくは、ガイド部は、ガイドシャフトが延びる方向に沿って複数設けられ、ガイドシャフト支持部は、複数のガイド部の間に配置されるように構成されている。このように構成すれば、複数のガイド部により、ガイドシャフトを安定した状態で保持しながら、複数のガイド部間に設けられたガイドシャフト支持部により、光ピックアップのガイド部がガイドシャフトから外れる方向に移動するのを抑制することができる。
【発明の効果】
【００１５】
本発明によれば、上記のように、光ピックアップを取り外す作業が複雑になるのを抑制することができる。
【図面の簡単な説明】
【００１６】
【図１】本発明の一実施形態によるディスク装置の全体構成を示した斜視図である。
【図２】本発明の一実施形態によるディスク装置のシャーシに配置される光ピックアップの斜視図である。
【図３】図２を下方から見た斜視図である。
【図４】本発明の一実施形態によるディスク装置の光ピックアップの斜視図である。
【図５】本発明の一実施形態によるディスク装置の光ピックアップおよびラック部の斜視図である。
【図６】図５の光ピックアップおよびガイドシャフトを下方から見た斜視図である。
【図７】図５の光ピックアップ（ガイドシャフトから取り外された状態）を下方から見た斜視図である。
【図８】本発明の一実施形態によるディスク装置のガイド部およびガイドシャフトの正面図である。
【図９】本発明の一実施形態によるディスク装置のラック部の斜視図である。
【図１０】図９のラック部を別の角度から見た斜視図である。
【図１１】図９のラック部を下方から見た斜視図である。
【図１２】本発明の一実施形態によるディスク装置のラック部およびガイドシャフトの正面図である。
【図１３】本発明の一実施形態によるディスク装置のラック部を基台に取り付けている状態を示す図である。
【図１４】本発明の一実施形態の第１変形例によるディスク装置のラック部およびガイドシャフトの正面図である。
【図１５】本発明の一実施形態の第２変形例によるディスク装置のガイド部の正面図である。
【発明を実施するための形態】
【００１７】
以下、本発明の実施形態を図面に基づいて説明する。
【００１８】
図１〜図１２を参照して、本発明の一実施形態によるディスク装置１００の構成について説明する。
【００１９】
図１および図２に示すように、ディスク装置１００は、樹脂製のディスクトレイ１と、保持部材２と、板金製のシャーシ３とを備える。ディスクトレイ１は、上面側（矢印Ｚ１方向側）の凹状に窪んだ部分１ａにＤＶＤやＢＤなどのディスク（図示せず）を載置可能に構成されている。また、ディスクトレイ１は、長手方向（Ｙ方向）にスライドしてディスク脱着位置（矢印Ｙ１方向側に最大限移動された場合の位置）およびディスク再生位置（図１の位置）に移動可能に構成されている。また、板金製のシャーシ３は、ディスクトレイ１のディスクが載置される側とは反対側である下面側（矢印Ｚ２方向側）に配置されている。
【００２０】
図１に示すように、ディスク装置１００の中央部には、ディスクトレイ１に載置されたディスク（図示せず）の中央部に設けられた穴部（図示せず）に嵌り込んでディスクを回転させるためのターンテーブル４が取り付けられている。また、図２および図３に示すように、シャーシ３には、ディスクに光を照射してディスクに記録されたデータを読み取るための光ピックアップ５が取り付けられている。光ピックアップ５は、シャーシ３の長手方向（Ｙ方向）に沿って延びる１本のガイドシャフト６に沿って移動可能に構成されている。なお、ディスク装置１００には、光ピックアップ５をガイドシャフト６に沿って移動させるための歯車７（図３参照）が設けられている。
【００２１】
図４および図５に示すように、光ピックアップ５は、レンズやレーザダイオードなどを含む光学部品５１と、光学部品５１を保持する基台５２とを含む。基台５２は、たとえばＰＰＳ（ポリフェニレンサルファイド樹脂）などの比較的硬い部材から構成されている。また、基台５２には、ガイドシャフト６が延びる方向（Ｙ方向）に沿って延びるように形成され、歯車７と噛み合う下側ラック部５３が設けられている。また、下側ラック部５３の上面（矢印Ｚ１方向側）には、下側ラック部５３よりも軟らかい部材（たとえば、ＰＯＭ（ポリアセタール樹脂））からなる上側ラック部８が重ねて配置されるように構成されている。なお、上側ラック部８は、本発明の「ラック部」の一例である。
【００２２】
ここで、本実施形態では、図３、図６、図７および図８に示すように、基台５２には、ガイドシャフト６に沿って光ピックアップ５を移動可能とするガイド部５４が設けられている。ガイド部５４には、ガイドシャフト６の周囲の一部に当接してガイドシャフト６をガイドする開口部５４ａが設けられている。すなわち、ガイド部５４は、ガイドシャフト６の全周を覆わずに、一部分を覆う（当接）するように構成されている。また、開口部５４ａは、下方（ガイドシャフト６が延びる方向（Ｙ方向）と直交する方向（矢印Ｚ２方向））に開口している。なお、開口部５４ａは、本発明の「第１開口部」の一例である。ガイド部５４は、基台５２の下側ラック部５３から、下方（ガイドシャフト６が延びる方向と直交する方向、矢印Ｚ２方向）に延びるように基台５２に一体的に設けられている。また、ガイド部５４の開口部５４ａは、ディスク（図示せず）が載置される側（ディスクトレイ１側）と反対側の下方向（矢印Ｚ２方向）に開口している。具体的には、ガイド部５４の開口部５４ａは、ガイドシャフト６が延びる方向と直交する方向（下方向）に開口するように、ガイドシャフト６が延びる方向から見て、略Ｕ字形状（略半円形状）を有する。また、ガイド部５４にガイドシャフト６が保持された状態で、開口部５４ａの内側面とガイドシャフト６（ガイドシャフト６の上方の外周面６１、図８参照）とが当接するように構成されている。
【００２３】
また、本実施形態では、図７に示すように、基台５２のガイド部５４は、ガイドシャフト６が延びる方向（Ｙ方向）に沿って複数（本実施形態では、２つ）設けられている。そして、２つのガイド部５４の開口部５４ａにガイドシャフト６の一方端側と他方端側とが保持（当接）されるように構成されている。
【００２４】
また、図４および図５に示すように、基台５２の下側ラック部５３には、上側ラック部８の後述する係合孔８４ａおよび８４ｂにそれぞれ係合する爪状の係合部５５ａおよび５５ｂが設けられている。係合部５５ａおよび５５ｂは、下側ラック部５３が延びる方向（ガイドシャフト６が延びる方向、Ｙ方向）の両端部にそれぞれ設けられている。また、係合部５５ａおよび５５ｂは、上方（矢印Ｚ１方向）に向かって突出するように、下側ラック部５３に一体的に設けられている。また、係合部５５ａおよび５５ｂは、それぞれ、比較的大きな幅を有する先端部５５１ａおよび５５１ｂ（図４参照）と、先端部５５１ａおよび５５１ｂよりも小さい幅を有する根元部５５２ａおよび５５２ｂ（図４参照）とを有する。また、基台５２の下側ラック部５３には、係合部５５ａおよび５５ｂの間に設けられる突出部５６が設けられている。また、突出部５６は、上方（矢印Ｚ１方向）に向かって突出するように、下側ラック部５３に一体的に設けられている。
【００２５】
また、本実施形態では、下側ラック部５３は、上側ラック部８が下側ラック部５３の上面に重なるように配置された状態で、上側ラック部８のガイドシャフト支持部８１が下方に貫通する貫通孔５７を含む。貫通孔５７は、上側ラック部８のガイドシャフト支持部８１に対応する位置に設けられている。具体的には、貫通孔５７は、係合部５５ａおよび５５ｂの間に設けられている。
【００２６】
また、本実施形態では、図７および図１０〜図１２に示すように、上側ラック部８は、基台５２（下側ラック部５３）に重なるように取り付けられ、回転する歯車７（図３参照）と噛み合うことにより、ガイドシャフト６が延びる方向（Ｙ方向）に光ピックアップ５を移動させるように構成されている。また、上側ラック部８は、弾性部材（たとえば、ＰＯＭ（ポリアセタール樹脂））からなる。また、上側ラック部８は、ディスクトレイ１が外部の物体に衝突した際に、衝突した力（歯車７から下側ラック部５３にかかる力）を、下側ラック部５３および上側ラック部８に分散（緩和）させる機能を有する。
【００２７】
また、本実施形態では、上側ラック部８には、ガイドシャフト６の周囲においてガイド部５４と当接していない方向（下方向）からガイドシャフト６を支持するガイドシャフト支持部８１が設けられている。すなわち、ガイドシャフト支持部８１は、ガイド部５４の開口部５４ａに当接していないガイドシャフト６の部分（後述する外周面６２、図１２参照）を支持することにより、光ピックアップ５がガイドシャフト６から外れる方向に移動するのを抑制する。また、ガイドシャフト支持部８１は、上側ラック部８（基台５２に上方に重ねられる上側ラック部８の部分）から、ガイドシャフト６が延びる方向と直交する方向（下方、矢印Ｚ２方向）に延びるように形成されている。
【００２８】
また、本実施形態では、図９および図１２に示すように、ガイドシャフト支持部８１には、ガイド部５４の開口部５４ａが開口する方向（矢印Ｚ２方向）と反対側の方向（矢印Ｚ１方向）からガイドシャフト６を支持する支持部分８２が設けられている。ガイドシャフト支持部８１の支持部分８２は、ガイドシャフト６が延びる方向（Ｙ方向）と直交する方向で、かつ、ガイド部５４の開口部５４ａが開口する方向（矢印Ｚ２方向）に直交する方向（矢印Ｘ１方向）に開口する開口部８３を含むように構成されている。なお、開口部８３は、本発明の「第２開口部」の一例である。
【００２９】
具体的には、図１２に示すように、ガイドシャフト６が延びる方向（Ｙ方向）から見て、支持部分８２の開口部８３は、矢印Ｘ１方向側に開口する略Ｕ字形状（略半円形状）に形成されている。また、支持部分８２の開口部８３の内周面にガイドシャフト６の外周面（矢印Ｘ２方向側の外周面）が当接するように構成されている。すなわち、ガイド部５４の開口部５４ａは、ガイドシャフト６が延びる方向（Ｙ方向）から見て、ガイドシャフト６の上方（矢印Ｚ１方向側）の外周面６１を保持しているとともに、支持部分８２の開口部８３は、ガイド部５４により保持されていないガイドシャフト６の部分（ガイドシャフト６の下方でかつ矢印Ｘ２方向側の外周面６２）を支持するように構成されている。なお、支持部分８２の開口部８３は、ガイドシャフト６が延びる方向（Ｙ方向）から見て、ガイド部５４により保持されているガイドシャフト６の部分の一部（ガイドシャフト６の上方でかつ矢印Ｘ２方向側の外周面６１）も支持するように構成されている。また、ガイドシャフト支持部８１は、ガイドシャフト支持部８１の開口部８３の矢印Ｘ１方向側の端部８３ａは、ガイドシャフト６の最下端６ａ近傍に配置されるように形成されている。そして、ガイドシャフト支持部８１は、ガイドシャフト支持部８１が基台５２の貫通孔５７を貫通した状態（図６参照）で、ガイドシャフト６を下方（矢印Ｚ１方向）から支持部分８２により支持することにより、光ピックアップ５がガイドシャフト６から外れる方向に移動するのを抑制するように構成されている。
【００３０】
また、本実施形態では、図７に示すように、ガイドシャフト支持部８１は、複数（本実施形態では、２つ）のガイド部５４の間に配置されるように構成されている。具体的には、上側ラック部８が下側ラック部５３に重なるように配置された状態で、ガイドシャフト６が延びる方向に沿って、２つのガイド部５４の間にガイドシャフト支持部８１が配置される。また、図１２に示すように、ガイドシャフト支持部８１の先端８２ａ側は、角部が面取り（角部が丸くなるように形成）されている。
【００３１】
また、図９〜図１１に示すように、上側ラック部８には、下側ラック部５３の係合部５５ａおよび５５ｂとそれぞれ係合する係合孔８４ａおよび８４ｂが設けられている。係合孔８４ａおよび８４ｂは、貫通孔からなる。また、係合孔８４ａおよび８４ｂは、下側ラック部５３の係合部５５ａおよび５５ｂに対応する位置にそれぞれ設けられている。また、係合孔８４ａおよび８４ｂは、それぞれ、Ｘ方向に幅の大きい第１孔部８４１ａおよび８４１ｂ（図１０参照）と、Ｘ方向に幅の狭い第２孔部８４２ａおよび８４２ｂ（図１０参照）とを有している。
【００３２】
また、上側ラック部８の係合孔８４ａおよび８４ｂの間には、下側ラック部５３の突出部５６が貫通する貫通孔８５が設けられている。上側ラック部８が下側ラック部５３の上面に重なるように配置されることにより、上側ラック部８の貫通孔８５から下側ラック部５３の突出部５６が矢印Ｚ１方向に突出するように構成されている。
【００３３】
次に、図５、図１２および図１３を参照して、上側ラック部８の基台５２（下側ラック部５３）への取り付け方法について説明する。
【００３４】
まず、図５に示すように、上側ラック部８のガイドシャフト支持部８１が、下側ラック部５３の貫通孔５７に挿入される。また、下側ラック部５３の係合部５５ａおよび５５ｂが、それぞれ、上側ラック部８の係合孔８４ａおよび８４ｂ（第１孔部８４１ａおよび８４１ｂ）（図１０参照）に挿入される。そして、上側ラック部８のガイドシャフト支持部８１が下側ラック部５３の貫通孔５７に挿入されるに伴って、図１３に示すように、上側ラック部８のガイドシャフト支持部８１がガイドシャフト６に当接するとともに、矢印Ｘ２方向側に湾曲する。さらに、上側ラック部８のガイドシャフト支持部８１が下方（矢印Ｚ２方向）に移動されることにより、図１２に示すように、上側ラック部８の開口部８３にガイドシャフト６が係合される。その後、上側ラック部８（下側ラック部５３）をＹ方向にスライドさせることにより、下側ラック部５３の係合部５５ａ（５５ｂ）の根元部５５２ａ（５５２ｂ）と、上側ラック部８の第２孔部８４２ａ（８４２ｂ）とが係合される。また、下側ラック部５３の突出部５６が、上側ラック部８の貫通孔８５に挿入される。そして、下側ラック部５３の突出部５６と、上側ラック部８の突出部８６との間にコイルバネ（図示せず）が配置されることにより、下側ラック部５３に対して上側ラック部８が固定される。このように、光ピックアップ５に設けられる貫通孔にガイドシャフト６が挿入されている場合と異なり、ガイドシャフト６を取り外すことなく、光ピックアップ５をガイドシャフト６に容易に組み込むことが可能となる。
【００３５】
また、上側ラック部８を基台５２（下側ラック部５３）から取り外す際には、上側ラック部８のガイドシャフト支持部８１を矢印Ｘ２方向側に湾曲させる（ガイドシャフト支持部８１とガイドシャフト６との係合を解除させる）とともに、上側ラック部８を上方に持ち上げる。これにより、上側ラック部８が基台５２から取り外される。その後、光ピックアップ５を上方に持ち上げることにより、ガイドシャフト６から光ピックアップ５が取り外される。
【００３６】
本実施形態では、上記のように、ガイド部５４が、ガイドシャフト６の周囲の一部に当接してガイドシャフト６をガイドする開口部５４ａを含み、ガイドシャフト６の周囲においてガイド部５４と当接していない方向からガイドシャフト６を支持するガイドシャフト支持部８１を備える。これにより、通常時には、ガイドシャフト支持部８１により、ガイドシャフト６から光ピックアップが外れるのを抑制することができるとともに、光ピックアップ５の取り外し時には、ガイドシャフト６が固定されている状態でも、ガイドシャフト支持部８１による支持を解除しながら光ピックアップ５をガイド部５４の開口部５４ａが開口している方向と反対方向（上方、矢印Ｚ１方向）に移動させることによって、ガイドシャフト６から光ピックアップ５を取り外すことができる。その結果、光ピックアップ５に設けられる貫通孔にガイドシャフト６が挿入されている場合と異なり、ガイドシャフト６を取り外す必要がないので、光ピックアップ５を取り外す作業が複雑になるのを抑制することができる。
【００３７】
また、本実施形態では、上記のように、ガイド部５４の開口部５４ａを、ディスク（図示せず）が載置される側（ディスクトレイ１側）と反対側の下方（矢印Ｚ２方向）に開口するように構成する。これにより、上方から光ピックアップ５をガイドシャフト６に容易に載置して装着することができる。すなわち、光ピックアップ５の取り付け作業を容易に行うことができる。
【００３８】
また、本実施形態では、上記のように、ガイドシャフト支持部８１に、ガイド部５４の開口部５４ａが開口する方向と反対側の方向からガイドシャフト６を支持する支持部分８２を設ける。これにより、光ピックアップ５が上方（ガイド部５４の開口部５４ａが開口する方向と反対の方向）に移動するのを、支持部分８２により容易に抑制することができる。
【００３９】
また、本実施形態では、上記のように、ガイドシャフト支持部８１の支持部分８２を、ガイドシャフト６が延びる方向と直交する方向で、かつ、ガイド部５４の開口部５４ａが開口する方向に直交する方向に開口する開口部８３を含むように構成する。これにより、光ピックアップ５のガイド部５４からガイドシャフト６が外れるのを、ガイドシャフト支持部８１の支持部分８２の開口部８３により容易に抑制することができる。
【００４０】
また、本実施形態では、上記のように、基台５２に重なるように取り付けられ、回転する歯車７と噛み合うことにより、ガイドシャフト６が延びる方向に光ピックアップ５を移動させるための弾性部材からなる上側ラック部８を設けて、ガイドシャフト支持部８１を、上側ラック部８に一体的に設ける。これにより、弾性部材からなるガイドシャフト支持部８１により、ガイドシャフト６を付勢することができるので、ガイドシャフト６（光ピックアップ５）ががたつくのを抑制することができるとともに、ガイドシャフト支持部８１を上側ラック部８と別個に設ける場合と異なり、部品点数の増加を抑制して装置の構成を簡略化することができる。
【００４１】
また、本実施形態では、上記のように、上側ラック部８に一体的に設けられているガイドシャフト支持部８１を、ガイドシャフト６が延びる方向と直交するように下方（矢印Ｚ２方向）に延びるように形成し、基台５２を、上側ラック部８が基台５２の上面に重なるように配置された状態で、ガイドシャフト支持部８１が下方に貫通する貫通孔５７を含むように構成する。また、ガイドシャフト支持部８１を、ガイドシャフト支持部８１が基台５２の貫通孔５７を貫通した状態で、ガイドシャフト６を下方（矢印Ｚ２方向）から支持することにより、光ピックアップ５のガイド部５４がガイドシャフト６から外れる方向に移動するのを抑制するように構成する。これにより、上側ラック部８（基台５２に上方に重ねられる上側ラック部８の部分）とガイドシャフト支持部８１との間に、基台５２とガイドシャフト６とを挟み込むことができるので、ガイドシャフト６（光ピックアップ５）ががたつくのを効果的に抑制することができる。
【００４２】
また、本実施形態では、上記のように、ガイド部５４を、ガイドシャフト６が延びる方向（Ｙ方向）に沿って複数設けて、ガイドシャフト支持部８１を、複数のガイド部５４の間に配置する。これにより、複数のガイド部５４により、ガイドシャフト６を安定した状態で保持しながら、複数のガイド部５４間に設けられたガイドシャフト支持部８１により、光ピックアップ５のガイド部５４がガイドシャフト６から外れる方向に移動するのを抑制することができる。
【００４３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４４】
たとえば、上記実施形態では、ガイド部の開口部（第１開口部）が、下方に開口している例を示したが、本発明はこれに限らない。本発明では、ガイド部の開口部（第１開口部）を、下方以外の方向（たとえば、斜め下方向）に開口するように構成していてもよい。
【００４５】
また、上記実施形態では、ラック部にガイドシャフト支持部が一体的に設けられる例を示したが、本発明はこれに限らない。本発明では、ラック部とは別個にガイドシャフト支持部を設けてもよい。
【００４６】
また、上記実施形態では、ガイドシャフト支持部の開口部（第２開口部）が矢印Ｘ１方向に開口（図９参照）している例を示したが、本発明はこれに限らない。たとえば、ガイドシャフト支持部の開口部（第２開口部）を、反対側の矢印Ｘ２方向に開口するように構成していてもよい。また、ガイドシャフト支持部の開口部（第２開口部）を上方（矢印Ｚ１方向）に開口するように構成してもよい。
【００４７】
また、上記実施形態では、ガイドシャフト支持部の開口部（第２開口部）の矢印Ｘ１方向側の端部が、ガイドシャフトの最下端近傍（図１２参照）に配置される例を示したが、本発明はこれに限らない。たとえば、図１４の第１変形例によるガイドシャフト支持部９１に示すように、ガイドシャフト支持部９１の開口部９２（第２開口部）の矢印Ｘ１方向側の端部９２ａが、ガイドシャフト６の最下端６ａよりも矢印Ｘ１方向側に配置されるように（開口部９２の内周面で、ガイドシャフト６の最下端６ａを支持するように）、ガイドシャフト支持部９１を構成してもよい。
【００４８】
また、上記実施形態では、ガイド部の開口部が、ガイドシャフトが延びる方向（Ｙ方向）から見て、略半円形状に形成されている例を示したが、本発明はこれに限らない。たとえば、図１５の第２変形例によるガイド部１５４のように、開口部１５４ａが、ガイドシャフト６が延びる方向（Ｙ方向）から見て、略矩形状に形成されていてもよい。
【００４９】
また、上記実施形態では、基台に２つのガイド部が設けられる例を示したが、本発明はこれに限らない。たとえば、基台に１つまたは３つ以上のガイド部を設けてもよい。
【００５０】
また、上記実施形態では、ラック部に１つのガイドシャフト支持部が設けられる例を示したが、本発明はこれに限らない。たとえば、ラック部に複数のガイドシャフト支持部を設けてもよい。
【符号の説明】
【００５１】
５  光ピックアップ
６  ガイドシャフト
７  歯車
８  上側ラック部（ラック部）
５１  光学部品
５２  基台
５４  ガイド部
５４ａ  開口部（第１開口部）
８１  ガイドシャフト支持部
８２  支持部分
８３  開口部（第２開口部）
８５  貫通孔
１００  ディスク装置
【図１】
2014160522.tif 000003
【図２】
2014160522.tif 000004
【図３】
2014160522.tif 000005
【図４】
2014160522.tif 000006
【図５】
2014160522.tif 000007
【図６】
2014160522.tif 000008
【図７】
2014160522.tif 000009
【図８】
2014160522.tif 000010
【図９】
2014160522.tif 000011
【図１０】
2014160522.tif 000012
【図１１】
2014160522.tif 000013
【図１２】
2014160522.tif 000014
【図１３】
2014160522.tif 000015
【図１４】
2014160522.tif 000016
【図１５】
2014160522.tif 000017